(57)【要約】      （修正有） 【課題】小型や普通トラック等の機動性や特性を損なうこと無く、必要に応じ荷台を延長し、より多様な物を積載運搬できるように、荷台延長スペースおよび積載補助装置を既存のトラック等の荷台に積載設置することを可能としたトラック等積載設置式多目的運搬装置を提供する。【解決手段】小型や普通トラック等の荷台に、荷台床を車体の後方水平に延長するための支持材１と、支持材を保持補強するための支持補強材２、および複数の補強支柱３とが、例えば溶接などにより接合形成されたフレーム材を設ける。これらを荷台両側に配置した状態で、後方延長床４と形状補強フレーム５、および６により荷台側方ゲートが閉じた状態の荷台幅に整合合致する形状で連結し、複数の固定具７により荷台に固定する。また形状補強フレーム６には積載物積み下ろしを安全容易にするための、電動、又は手動巻上げ、巻き戻し式の牽引積載用ウインチ８を付設する。【選択図】図１
0003161755.tif 000002
【実用新案登録請求の範囲】
【請求項１】
小型や普通トラック等の荷台に載置される、加工が可能な適正材質からなる荷台を延長する多目的運搬装置であり、必要に応じた適正長さに水平に延長される床材と、それを支持する支持材、支持材を保持補強する支持補強材、補強支柱とが接合形成されたフレームと、積載設置形状を保持補強するための複数の形状補強フレーム材で構成される、トラック等積載設置式多目的運搬装置。
【請求項２】
床を支持する支持材には複数のフック状の爪が設けられ、小型や普通トラック等の荷台に既設される積載物固定用フックによりワイヤーやロープ等の、強度的に充分で、且つ変形が自在な物で容易に固定される所を特徴とする請求項１記載のトラック等積載設置式多目的運搬装置。
【請求項３】
支持材を保持する形状補強フレーム材の一部には牽引積載用の手動、または電動巻上げ式ウインチの、設置が可能な部位が設けられている所を特徴とする請求項１または請求項２記載のトラック等積載設置式多目的運搬装置。
【考案の詳細な説明】
【技術分野】
【０００１】
本考案は、加工が可能な適正材質からなり、小型や普通トラック等の荷台に積載設置され、荷台既設フックに固定した状態で使用され、荷台を延長することにより、各種現場の運搬作業を安全、確実、そして経済的に行なうことができるトラック等積載設置式多目的運搬装置に関するものである。
【背景技術】
【０００２】
小型や普通トラック等の荷台は、基準によりその床面積は限定されており、長くて重たい、また脱落しやすい荷物等を積む際には安全面から限定があった。一例でいうならば、大型バイク等の積載運搬がそれに該当する。これらの大型バイク等は小型トラック積載する際には、そのホイールベースの長さゆえに荷台に対し対角に積載する、又は荷台の大きなトラックや専用のキャリアカーなどを用意して運搬しなければならないというのが常であり運搬コストが嵩むというデメリットがあった。ことに運搬コストを抑えるため小型トラックの荷台に運搬物を積載する場合には、後方にはみ出るがゆえの積載後の落下はもとより、安全確保のため積載後の荷台での移動は必須であり、積載物の重量によっては、わずかな移動でも困難で、常に転倒などの危険があった。
【考案の概要】
【考案が解決しようとする課題】
【０００３】
昨今の小型や普通トラック等は機動性からみると、十二分な能力を持ち合わせていることがうかがえるが、車体および荷台自体に規格サイズがあるために、一定程度以上の大きさのものは運搬することはできない。特に大型バイク等を小型トラックで積載運搬する場合、荷台から後方にはみ出すことが多く、重量もあり車輪もついた上、不安定で落下しやすいものに対して、荷台を延長することにより積載運搬作業を安全、確実、また装置設定が安易にできるところを提供し、さらには必要最小限の荷台サイズのトラック等で経済的に運搬が行なうことができるうえ、不要なときには簡単に取外しが出来、加工が可能な適正な材質からなるトラック等積載設置式多目的運搬装置を提供することを目的とする。
【課題を解決するための手段】
【０００４】
本考案のトラック等積載設置式多目的運搬装置は、小型や普通トラック等の荷台に積載設置される荷台を延長する加工が可能な適正材質からなる多目的運搬装置であって、トラックの荷台に、荷台床を後方水平に延長するための支持材と、支持材を保持補強するための支持補強材、および補強支柱とが、例えば溶接などにより接合形成されたフレーム材が荷台両側に配置されたうえ、後方延長床材と複数の形状補強フレーム材とにより連結されることで、荷台両側ゲートが閉じた状態の荷台幅に整合合致する形状となり、複数の固定具により車体の荷台にある既存フックに固定される。また片方の形状補強フレームには積載物積み下ろしを安全容易にするための、電動、又は手動巻上げ、巻き戻し式の牽引積載用ウインチが付設される。
【考案の効果】
【０００５】
本考案は、まず設置作業が格段に容易であることが特徴である。これは各部位がボルトなどにより、部位ごとに取外しが可能であるため、軽量に出来る事による。こうした構造は不要なときには取外しが容易であり、さらにコンパクトに保管することも可能としている。次ぎに特徴的な面として、一般家庭や現場、また店舗等で普及している各種の小型トラックの荷台に設置することができるという点があげられる。これは例えば大型バイク等の運搬に際し、わざわざ大きな車両やキャリアカーなどの運搬専用車両を用意する必要が無くなるというメリットを生みだす。さらにその延長として、経済的側面から、燃費、維持費などの面から運搬のコストを大幅に軽減することができるというメリットも生じる。また、本装置の設置がされた車両は、積載物の運搬作業において、都市部などの狭小地においての積み降ろし作業などの、小型トラック等のコンパクトな車体の特性や機動性を生かした働きが発揮できることから、地理的条件を問わず活躍することが期待でき、従来困難であった狭小地での積載、及び運搬作業に対して有効にはたらき、様々な面での効果が期待できる。
【考案を実施するための最良の形態】
【０００６】
本考案の実施例を、以下図面を元に説明する。
図１は本考案装置をトラックの荷台に積載設置し、固定した状態を側面からみた側方視図、図２は本考案装置を積載設置した状態で、固定具を使用せず荷台側方ゲートを開き下げた状態をあらわす側方視図、図３は本考案装置を固定した状態を上方から見た俯瞰図、図４は本考案装置を固定し、トラック車体後方から見た後方視図である。図５は一例として大型バイクを、積載用スロープを用いて積載した状態を側方からみた側方視図である。
【実施例】
【０００７】
本考案の実施例を説明するが、あくまでも一実施例である。使用用途に関しては一実施例に限定されるものでなく、言うまでもなく、目的に応じて多用途な利用が可能であるというところを特徴とするものである。
【０００８】
図１は適正材質からなるトラック等積載設置式多目的運搬装置（以下、装置Eと表記する。）を小型トラックに設置、固定した状態をあらわした側方視図である。まず装置Eは荷台後方ゲートを取外した状態で設置される。これは車体後方にある制動灯などの灯火類が、確認されやすくするための準備である。装置Eは小型や普通トラック等の荷台に荷台床を後方水平に延長するための支持材１と、支持材を保持補強するための支持補強材２、および補強支柱３とが、溶接などにより接合形成されたものと、後方延長床材４と形状補強フレーム材５と６から構成される。それらは荷台左右側方に配置連結され、荷台側方ゲートを閉じた状態で、荷台幅に整合合致する形状に連結されることで設置され、複数の固定具７により荷台既設フックに固定される。また形状補強フレーム材６には積載物積み下ろしを安全容易にするための、電動、又は手動巻上げ、巻き戻し式の牽引積載用ウインチ８が付設され、作業性の効率と安全性を確保する役目を担う。
【０００９】
図５は実際に装置Eを積載設置し、大型バイクを積載したところを側方から見た側方視図である。この図でもわかるように、小型トラック等の荷台は車種により荷台長さに限定があるため、大型バイク等はホイールベースの関係上、後方車輪の接地部が荷台に収まらない事が多く、積載や運搬中の脱落などの危険性が非常に高い。こうした状況下で床が後方に延長されることは、積載や運搬に際しての安全性が大いに確保されることにつながる。
【００１０】
装置Eの後方延長床材４には図５で示すように、積載用スロープ１０を設置固定するための部位が設けられ、積載時の機能性、安全性が確保される。
【００１１】
尚、本考案の装置Eは各部位が別体となっているため軽量であることから、組込み設置作業が簡単であり、迅速に行なうことができる。また不要なときにはコンパクトな構造から取外しや保管場所にも困らず、必要なときにだけ設置できることを、少ない労力で可能とする。
【図面の簡単な説明】
【００１２】
【図１】本考案に係る装置を小型トラックの荷台に設置固定した状態を、側方から見た側方視図である。
【図２】装置を荷台に積載設置し、車体の荷台ゲートを開いた状態を示した図である。
【図３】装置が荷台に設置固定された状態を、車体上方から見た俯瞰図である。
【図４】装置が荷台に設置固定された状態を、車体後方から見た後方視図である。
【図５】一実施使用例として、大型バイクを積載した状態を側方から見た側方視図である。
【符号の説明】
【００１３】
１  支持材
２  支持補強材
３  補強支柱
４  後方延長床材
５  形状補強フレーム材
６  形状補強フレーム材
７  固定具
８  牽引積載用ウインチ
９  荷台側方ゲート
１０  積載用スロープ
１１  大型バイク
１２  トラック
【図１】
0003161755.tif 000003
【図２】
0003161755.tif 000004
【図３】
0003161755.tif 000005
【図４】
0003161755.tif 000006
【図５】
0003161755.tif 000007
【手続補正書】
【提出日】平成22年3月26日(2010.3.26)
【手続補正１】
【補正対象書類名】実用新案登録請求の範囲
【補正対象項目名】全文
【補正方法】変更
【補正の内容】
【実用新案登録請求の範囲】
【請求項１】
小型や普通トラックの荷台に載置される、加工が可能で強度が充分な適正材質からなる荷台を延長する多目的運搬装置であり、必要に応じた適正長さに水平に延長される床材と、それを支持する支持材、支持材を保持補強する支持補強材、補強支柱とが接合形成されたフレームと、積載設置形状を保持補強するための複数の形状補強フレーム材で構成される、トラック積載設置式多目的運搬装置。
【請求項２】
床を支持する支持材には複数のフック状の爪が設けられ、小型や普通トラックの荷台に既設される積載物固定用フックにより、ワイヤーやロープ、また化学繊維や特殊繊維等からなる、強度的に充分で、且つ変形が自在な物で容易に固定される所を特徴とする請求項１記載のトラック積載設置式多目的運搬装置。
【請求項３】
支持材を保持する形状補強フレーム材の一部には牽引積載用の手動、または電動巻上げ式ウインチの、設置が可能な部位が設けられている所を特徴とする請求項１および請求項２記載のトラック積載設置式多目的運搬装置。
【手続補正３】
【補正対象書類名】明細書
【補正対象項目名】全文
【補正方法】変更
【補正の内容】
【考案の詳細な説明】
【技術分野】
【０００１】
本考案は、加工が可能な適正材質からなり、小型や普通トラックの荷台に積載設置され、荷台既設フックに固定した状態で使用され、荷台を延長することにより、各種現場の運搬作業を安全、確実、そして経済的に行なうことができるトラック積載設置式多目的運搬装置に関するものである。
【背景技術】
【０００２】
小型や普通トラックの荷台は、基準によりその床面積は限定されており、長くて重たい、また脱落しやすい荷物等を積む際には安全面から限定があった。一例でいうならば大型バイクなどの、ホイールベースが長く全長が荷台からはみ出るような物の積載運搬がそれに該当する。これらの大型バイクなどは小型トラック積載するには困難な場合が多く、荷台の大きなトラックや専用のキャリアカーなどを用意して運搬しなければならないというのが常であり、運搬コストが嵩むというデメリットがあった。もし運搬コストを抑えるため小型トラックの荷台に運搬物を積載する際には、安全確保のため対角に積載する必要から、積載後の荷台での移動は必須であるものの、積載物の重量によってはわずかな移動でも困難で、それが出来ない場合には後方にはみ出る場合もままあり、常に転倒や落下などの危険があった。
【考案の開示】
【考案が解決しようとする課題】
【０００３】
昨今の小型や普通トラックは機動性からみると、十二分な運搬能力を持ち合わせていることがうかがえるが、車体および荷台自体に規格サイズがあるために、一定程度以上の大きさのものは運搬することはできない。特に大型バイクなどのホイールベースが長く、全長が荷台からはみ出るような物を小型トラックで積載運搬する場合、荷台から後方にはみ出すことばかりでなく、重量もあり車輪もついた上、不安定で落下しやすいものに対して、荷台を延長することにより積載運搬作業を安全、確実、また装置設定が安易にできるところを提供し、さらには必要最小限の荷台サイズのトラック等で経済的に、また都市部の狭い路地などにも運搬が行なうことができるうえ、不要なときには簡単に取外しが出来、加工が可能で、強度的にも充分な適正な材質からなるトラック積載設置式多目的運搬装置を提供することを目的とする。
【課題を解決するための手段】
【０００４】
本考案のトラック積載設置式多目的運搬装置は、小型や普通トラックの荷台に積載設置され、荷台を延長する加工が可能で強度的にも充分な適正材質からなる多目的運搬装置であって、トラックの荷台に、荷台床を後方水平に延長するための支持材と、支持材を保持補強するための支持補強材、および補強支柱とが、例えば溶接やボルト、またはリベット接合などにより接合形成されたフレーム材が荷台両側に配置されたうえ、後方延長床材と複数の形状補強フレーム材とにより連結されることで、荷台両側ゲートが閉じた状態の荷台幅に整合合致する形状となり、充分な強度のある複数の固定具により車体の荷台にある既存フックに固定される。また片方の形状補強フレームには積載物積み下ろしを安全容易にするための、電動、又は手動巻上げ、巻き戻し式の牽引積載用ウインチが付設される。
【考案の効果】
【０００５】
本考案は、まず設置作業が格段に容易であることが特徴である。これは各部位がボルトなどにより、部位ごとに取外しが可能であるため、軽量に出来る事による。こうした構造は不要なときには取外しが容易であり、さらにコンパクトに保管することも可能としている。次ぎに特徴的な面として、一般家庭や現場、また店舗等で普及している各種の小型トラックの荷台に容易に設置することができるという点があげられる。これは例えば大型バイク等の、ホイールベースが長く全長が荷台からはみ出るような物の運搬に際し、わざわざ大きな荷台のあるトラックやキャリアカーなどの運搬専用車両を用意する必要が無くなるというメリットを生みだす。さらにその延長として、経済的側面から、小型トラックを使用できるということで、燃費、維持費などの面から運搬のコストを大幅に軽減することができるというメリットも生じる。また、本装置の設置がされた車両は、積載物の運搬作業において、都市部などの狭小地においての積み降ろし作業の、小型トラックなど荷台がコンパクトな車体の特性や機動性を生かした働きが発揮できることから、地理的条件を問わず活躍することが期待でき、従来困難であった狭小地での積載、及び運搬作業に対して特に有効にはたらき、様々な場面での効果が期待できる。
【考案を実施するための最良の形態】
【０００６】
本考案の実施例を、以下図面を元に説明する。
図１は本考案装置をトラックの荷台に積載設置し、固定した状態を側面からみた側方視図、図２は本考案装置を積載設置した状態で、固定具を使用せず荷台側方ゲートを開き下げた状態をあらわす側方視図、図３は本考案装置を固定した状態を上方から見た俯瞰図、図４は本考案装置を固定し、トラック車体後方から見た後方視図である。図５は一例として大型バイクを、積載用スロープを用いて積載した状態を側方からみた側方視図である。
【実施例】
【０００７】
本考案の実施例を説明するが、あくまでも一実施例である。使用用途に関しては一実施例に限定されるものでなく、言うまでもなく、目的に応じて多用途な利用が可能であるというところを特徴とするものである。
【０００８】
図１は適正材質からなるトラック積載設置式多目的運搬装置（以下、装置Eと表記する。）を小型トラックに設置、固定した状態をあらわした側方視図である。まず装置Eは荷台後方ゲートを取外した状態で設置される。これは車体後方にある制動灯などの灯火類が、確認されやすくするための準備である。装置Eは小型や普通トラックの荷台に荷台床を後方水平に延長するための支持材１と、支持材を保持補強するための支持補強材２、および補強支柱３とが、溶接などにより接合形成されたものと、後方延長床材４と形状補強フレーム材５と６から構成される。それらは荷台左右側方に配置連結され、荷台側方ゲートを閉じた状態で、荷台幅に整合合致する形状に連結されることで設置され、複数の固定具７により荷台既設フックに固定される。また形状補強フレーム材６には積載物積み下ろしを安全容易にするための、電動、又は手動巻上げ、巻き戻し式の牽引積載用ウインチ８が付設され、作業性の効率と安全性を確保する役目を担う。
【０００９】
図５は実際に装置Eを積載設置し、大型バイクを積載したところを側方から見た側方視図である。この図でもわかるように、小型トラックや普通トラックの荷台は車種により荷台長さに限定があるため、大型バイク等の全長の長い物はホイールベースの関係上、後方車輪の接地部が荷台に収まらない事が多く、積載や運搬中の脱落などの危険性が非常に高い。こうした状況下で床が後方に延長されることは、積載や運搬に際しての安全性が大いに確保されることにつながる。
【００１０】
装置Eの後方延長床材４には図５で示すように、積載用スロープ１０を設置固定するための部位が設けられ、積載時の機能性、安全性が確保される。
【００１１】
尚、本考案の装置Eは各部位が別体となっているため軽量であることから、組込み設置作業が簡単であり、迅速に行なうことができる。また不要なときにはコンパクトな構造から取外しや保管場所にも困らず、必要なときにだけ設置できることを、少ない労力で可能とする。
【図面の簡単な説明】
【００１２】
【図１】本考案に係る装置を小型トラックの荷台に設置固定した状態を、側方から見た側方視図である。
【図２】装置を荷台に積載設置し、車体の荷台ゲートを開いた状態を示した図である。
【図３】装置が荷台に設置固定された状態を、車体上方から見た俯瞰図である。
【図４】装置が荷台に設置固定された状態を、車体後方から見た後方視図である。
【図５】一実施使用例として、大型バイクを積載した状態を側方から見た側方視図である。
【符号の説明】
【００１３】
１  支持材
２  支持補強材
３  補強支柱
４  後方延長床材
５  形状補強フレーム材
６  形状補強フレーム材
７  固定具
８  牽引積載用ウインチ
９  荷台側方ゲート
１０  積載用スロープ
１１  大型バイク
１２  トラック
【手続補正書】
【提出日】平成22年6月8日(2010.6.8)
【手続補正１】
【補正対象書類名】手続補正書
【補正対象項目名】手続補正２
【補正方法】削除
【補正の内容】
【手続補正書】
【提出日】平成22年6月8日(2010.6.8)
【手続補正１】
【補正対象書類名】実用新案登録請求の範囲
【補正対象項目名】全文
【補正方法】変更
【補正の内容】
【実用新案登録請求の範囲】
【請求項１】
小型や普通トラックの荷台に載置される、加工が可能で強度が充分な適正材質からなる荷台を延長する多目的運搬装置であり、必要に応じた適正長さに水平に延長される床材と、それを支持する支持材、支持材を保持補強する支持補強材、補強支柱とが接合形成されたフレームと、積載設置形状を保持補強するための複数の形状補強フレーム材で構成される、トラック積載設置式多目的運搬装置。
【請求項２】
床を支持する支持材には複数のフック状の爪が設けられ、小型や普通トラックの荷台に既設される積載物固定用フックにより、ワイヤーやロープ、または化学繊維や特殊繊維からなる、強度的に充分で、且つ変形が自在な物で容易に固定される所を特徴とする請求項１記載のトラック積載設置式多目的運搬装置。
【請求項３】
支持材を保持する形状補強フレーム材の一部には牽引積載用の手動、または電動巻上げ式ウインチの、設置が可能な部位が設けられている所を特徴とする請求項１および請求項２記載のトラック積載設置式多目的運搬装置。